(57)【特許請求の範囲】
【請求項１】
培土が収納可能な袋状に形成され、透水性及び通気性を有する生分解性繊維からなる袋体と、
前記袋体を、載置面から離間させて支持する支持体と、を備え、
前記袋体が、前記支持体に着脱可能に取付けられるとともに、
当該袋体に所定のプリントパターンで印刷される生分解性樹脂により保形され、
前記プリントパターンには、前記生分解性樹脂の付着されない無付着部が形成されることを特徴とする育苗容器。
【請求項２】
少なくとも前記袋体の口部を、前記支持体が当該袋体を吊下げて支持可能な形状に、生分解性樹脂で保形した請求項１記載の育苗容器。
【請求項３】
前記袋体を、生分解性樹脂で鉢状に保形した請求項１又は２記載の育苗容器。
【請求項４】
複数の前記袋体が、一体に連設され、各袋体の口部が同一面上で開口されたことを特徴とする請求項１〜３のいずれか一項に記載の育苗容器。
【請求項５】
前記支持体を、前記袋体が外気と通気可能なフレーム構造とした請求項１〜４のいずれか一項に記載の育苗容器。
【請求項６】
前記支持体に、前記袋体の落下を防止する落下防止手段が設けられた請求項１〜５のいずれか一項に記載の育苗容器。
【請求項７】
前記支持体の底部が、所定の棒状治具で前記袋体を突上げて取出し可能に開口された請求項１〜６のいずれか一項に記載の育苗容器。
【請求項８】
培土が収納可能な袋状に形成された育苗用の袋体であって、
透水性及び通気性を有する生分解性繊維からなり、
所定の支持体によって、載置面から離間されて、支持されるとともに、
前記支持体に着脱可能に取付けられ、
所定のプリントパターンで印刷される生分解性樹脂により保形され、
前記プリントパターンには、前記生分解性樹脂の付着されない無付着部が形成されることを特徴とする育苗用の袋体。
【請求項９】
少なくとも前記袋体の口部を、前記支持体が当該袋体を吊下げて支持可能な形状に、生分解性樹脂で保形した請求項８記載の育苗用の袋体。
【請求項１０】
生分解性樹脂で鉢状に保形した請求項８又９記載の育苗用の袋体。
【請求項１１】
複数の袋体が、一体に連設され、各袋体の口部が同一面上で開口された育苗用トレイであって、前記袋体が、請求項８〜１０のいずれか一項に記載の袋体からなる
ことを特徴とする育苗用トレイ。
【請求項１２】
前記各袋体の口部に、各袋体が分離可能な脆弱部を設けた請求項１１記載の育苗用トレイ。
【発明の詳細な説明】
【技術分野】
【０００１】
本発明は、苗木や草花などの植物の育成に使用される育苗容器であって、特に、播種から移植までに用いられる育苗容器に関する。
【背景技術】
【０００２】
園芸農家などの園芸植物の生産者は、通常、ポリ塩化ビニル、ポリエチレン、ポリプロピレン等の合成樹脂で成形されたポリ容器を用いて、苗木や草花などの植物を播種から育成している。
このようなポリ容器は、透水性や通気性が悪いため、苗木や草花に悪影響を及ぼすことが知られている。
【０００３】
例えば、ポリ容器は、水はけが悪く、植物の根が、容器の内側面に沿って巻いてしまう、いわゆる「根巻き」が生じることがある。このような「根巻き」は、根が弱くなるとともに、根に十分に酸素が行き亘らず、窒息状態となり枯れてしまう場合もある。
さらには、水分過多となり、「根腐れ」となる場合もあった。
また、苗木や草花の茎や枝が必要以上に伸びる、いわゆる「徒長」も生じ、植物の商品価値を低下させる要因となっていた。
また、放熱が十分にできないため、地温が極度に上昇してしまい、特に、イチゴなどの植物の夏越しにおいて、育成を阻害する要因となっていた。
このように、ポリ容器での成育環境は、必ずしも苗木や草花に適したものとはいえなかった。
【０００４】
また、ポリ容器を、再利用する場合には、植物が有する病気の感染を避けるため、消毒する必要があった。その結果、消毒に要するコストや手間を考慮すると、新たな育苗容器を購入するほうが、安価であるため、使用済みのポリ容器は、リサイクルされず、廃棄処分されていた。
【０００５】
このようなポリ容器が有する弊害を解消するために、天然繊維の布状体を天然樹脂で鉢型に保形した生分解性の育苗容器の発明が開示されている（特許文献１）。
これにより、透水性や通気性が向上し、「根巻き」等の問題が解消されるとともに、天然繊維や天然樹脂は、地中でバクテリア等により生分解され、消滅するため、苗木や草花となるまで育成した後には、容器ごと移植することができ、土壌を汚染することもなく環境的にも優れていた。
【０００６】
【特許文献１】特開昭６３−１６４８２３号公報
【発明の開示】
【発明が解決しようとする課題】
【０００７】
しかしながら、特許文献１に記載された発明では、以下のような問題を解決できなかった。
特許文献１に記載の育苗容器は、地面等の載置面上に自立させた状態で、苗木や草花となるまで育成させるため、布状体と載置面との接触部分は、水はけが悪く、容器の底面部に潅水時の剰余水が集中して保水されていた。その結果、根は、水分のある方に伸長するため、根が容器内に均等に張らず、育苗容器の底面に向かって偏長していた。
そして、載置面が土壌である場合は、根が布状体を突き破り、土壌内に根付いてしまい、移植の際に、育苗容器ごと持ち上げると、根を痛めるおそれがあった。
また、載置面が土壌でない場合、ポリ容器での育成と同様、容器の底面部で「根巻き」が生じることもあった。
【０００８】
さらに、布状体と載置面とは接触するため、地表面の温度が直接伝わることで、容器内の温度が上昇してしまい、布状体が有する通気性が十分に活かされていなかった。
また、布状体と載置面との接触部分は、生分解の進行が速く、脆くなるため、移植時に、育苗容器ごと持ち上げると、布状体の底面部が抜けてしまい、苗木等を損壊させるおそれがあった。
【０００９】
本発明は、以上のような問題を解決するために提案されたものであり、地面等の載置面から離間され、透水性や通気性が確保された袋体内で、苗木や草花を育成することで、「根巻き」や「徒長」及び「根腐れ」などが防止され、苗木や草花の成育環境を良好な状態に保つことができるとともに、移植時に、袋体ごと移植することができ、作業労力が軽減される育苗容器と、この育苗容器を構成する育苗用の袋体及び育苗用トレイの提供を目的とする。
【課題を解決するための手段】
【００１０】
上記目的を達成するため、本発明の育苗容器は、培土が収納可能な袋状に形成され、透水性及び通気性を有する生分解性繊維からなる袋体と、前記袋体を、載置面から離間させて支持する支持体と、を備え、前記袋体が、前記支持体に着脱可能に取付けられる構成としてある。
【００１１】
このような構成からなる本発明の育苗容器によれば、地面等の載置面から離間され、透水性及び通気性を有する袋体に収納された培土で、苗木や草花などの植物を育成することができる。
【００１２】
具体的には、袋体が、透水性を有するため、良好な水はけが確保され、「根腐れ」や「根巻き」が生じることがなくなる。
特に、袋体が、地面等の支持体が設置される場所の表面、すなわち、載置面から離間されているため、均一な水はけが確保され、水分が局所的に偏在することがないことから、根の偏長がなくなり、根を均等に張らせることができる。
さらに、袋体が載置面から離間されているため、土壌への根付きが回避され、移植時に根を痛めることがなくなるとともに、接触面での「根巻き」の発生も防止できる。
【００１３】
また、袋体が、通気性を有するため、根に十分酸素が供給され、枯れることもなく、また、「徒長」も生じることがなくなる。
特に、袋体が載置面から離間されているため、袋体に収納された培土及び根に対して、均一に酸素を供給することができる。
さらに、袋体の通気性により、空気の流通による放熱や、培土中の水分蒸発が助長されることによる気化熱の放熱などの放熱効果もあり、収納された培土の温度の極度な上昇を抑制するだけでなく、載置面から離間することで、培土の温度を載置面の表面温度より低く抑えることができる。
これにより、植物の夏越しに対しても、良好な温度環境を維持できる。
このように、透水性及び通気性を有するのみならず、載置面から離間された袋体で、苗木や草花を育成することができるため、苗木や草花の成育環境を良好な状態に保つことができ、商品価値の高い植物を育成することができる。
【００１４】
さらに、袋体が生分解性繊維で形成されるとともに、支持体から着脱可能なため、苗木や草花が成育したときの移植に際して、苗木や草花が植えられた袋体を、支持体から取り外し、袋体ごとそのまま、他の鉢や土壌に移植することができる。
すなわち、袋体が生分解性繊維で形成されているため、根が繊維を突き破り、移植された土壌に根を張ることができるのみならず、袋体ごと移植しても、袋体は、地中で分解され、いずれ消滅する。
【００１５】
このように、袋体ごと移植することができ、従来のように容器から苗木等を取出すことがないため、移植作業の省力化が図れるとともに、移植時に根や茎葉を痛めることもなく、苗木や草花を良好な状態で、移植することができる。
また、袋体は、生分解され、土壌を汚染することもないため、環境的にも優れている。
また、袋体は、載置面から離間されているため、袋体は均等に分解され、植物の育成中において、袋体が局所的に分解することによる培土の流出を防止することができる。
【００１６】
そして、育苗容器を袋体と支持体に分けることで、それぞれの形状を簡易な形状とすることができる。
すなわち、袋体単体で、当該袋体を自立させ、袋体の底部を載置面から離間させようとすると、袋体の底面部を培土や苗木等の重みに耐えられるように、強固な梁等を形成しなければならない。その結果、袋体の構造が複雑になるうえ、繊維生地の特性から鑑みると困難である。
【００１７】
そこで、本発明の育苗容器は、支持体が、袋体を支持する構成としてある。これにより、袋体に収納された培土や苗木等の重みを支持体が担うことになり、袋体は、培土等を収納可能であれば足り、袋体の有する特性を最大限に活かすことができる。
また、支持体自体は、袋体を吊下げ支持したり、積載したりする簡易な構造を有すれば足り、これにより、支持体の製造が容易となり、製造コストや製品コストの低減が図れる。さらに、支持体を、耐久性を有する合成樹脂等で形成すれば、再利用可能となり、リサイクル性を向上することができる。
【００１８】
なお、袋体は、培土が潅水等により流出することなく、収納可能な袋状に形成され、透水性及び通気性を有する生分解性繊維からなる袋体であれば足り、例えば、織物や編み物、不織布などの繊維生地の布状体が好適である。
特に、不織布は、コストも廉価であるため、本発明の袋体に最適である。
また、生分解性繊維としては、例えば、木綿や麻などの天然繊維、レーヨン等の再生繊維、生分解性合成繊維、及びこれらを組合せた繊維などを用いることができる。
【００１９】
また、本発明の育苗容器は、前記支持体を、前記袋体が外気と通気可能なフレーム構造とした構成とすることができる。
【００２０】
このような構成とすることにより、支持体がフレーム構造で形成されるため、袋体が外気に曝され、外気との通気が図られる。
これにより、袋体の有する透水性及び通気性が担保され、苗木や草花の成育に良好な環境が確保される。
なお、このような支持体として、例えば、支持体の底部と上部をリング状に形成し、上下のリングを最小限の支柱で連結する簡易な構成とすることもできる。
この場合、袋体をリング内側に、吊下げたり、積載したりして、装着することができる。
このように支持体が、フレーム構造で形成されることで、材料費が削減でき、製品コストを低く抑えることができる。
【００２１】
また、本発明の育苗容器は、前記支持体が、前記袋体の口部を保持し、前記袋体を吊下げて支持する構成とすることができる。
【００２２】
このような構成とすることにより、支持体が、袋体の口部を保持し、袋体を吊下げて支持することから、袋体の支持体への接触を、最小限に抑えることができる。
すなわち、培土が収納されている部分は、支持体と非接触状態とすることができ、袋体の透水性及び通気性が担保される。
なお、支持体が袋体の口部を保持する構成は、例えば、袋体は、繊維で構成されているため、支持体に、爪部を形成して、袋体を当該爪部に引掛けて、保持することもできる。
【００２３】
また、本発明の育苗容器は、少なくとも前記袋体の口部を、前記支持体が当該袋体を吊下げて支持可能な形状に、生分解性樹脂で保形した構成とすることができる。
【００２４】
このような構成とすることにより、支持体や袋体に爪やフックなどの係止具を装着することなく、袋体を、支持体に吊下げることができる。
すなわち、袋体自体が、吊下げ可能な形状に保形されているため、余分な係止具を用いることなく、支持体が袋体を吊下げ支持することができる。
そのうえ、生分解性樹脂で保形されているため、袋体の生分解が妨げられることはない。
【００２５】
なお、支持体が袋体を吊下げて支持可能な形状とは、例えば、口部を鉤状、Ｌ字状などの支持部に引掛けることができる形状をいう。また、保形される部分は、少なくとも口部は保形されるが、吊下げ可能な形状に応じて、選定できることはいうまでもない。
また、保形のための生分解性樹脂は、例えば、土中でバクテリア等により分解するものであり、澱粉、カルボキシメチルセルロース、アルギン酸ソーダ、カゼイン、エチレン酢酸ビニル変性澱粉重合物等が挙げられる。
【００２６】
また、本発明の育苗容器は、前記袋体を、生分解性樹脂で鉢状に保形した構成とすることができる。
このような構成とすることにより、袋体全体が、鉢状に保形されるため、取り扱いが容易となる。
例えば、未使用時には、袋体を積み重ねて収容することができ、省スペース化が図られるとともに、流通性も向上する。
また、生分解性樹脂で保形されているため、袋体の生分解が妨げられることもない。
なお、鉢の形状は限定されず、適宜変更可能であり、例えば、角筒状や、丸筒状でもよく、また、半球状の丸鉢や、すり鉢形状とすることもできる。
【００２７】
また、本発明の育苗容器は、前記袋体の少なくとも前記袋体の口部以外の部分を、生分解性樹脂が付着されない無付着部を設けて保形した構成とすることができる。
【００２８】
このような構成とすることにより、袋体の少なくとも口部以外の部分、すなわち、培土が収納されている部分は、生分解性樹脂が付着されない無付着部を設けて保形されているため、袋体の繊維生地の特性である透水性と通気性を確保しつつ、袋体の口部や、袋体全体を生分解性樹脂で保形することができる。
【００２９】
このような無付着部は、生分解性樹脂を所定のパターンで、袋体に塗布することで形成することができる。
例えば、袋体を一枚の繊維生地から作製する場合、生地に生分解性樹脂を、メッシュ状や網目状、格子状などにプリント印刷し、生地を加圧成形することで、袋体を形成しつつ、所望する形状に保形することができる。
これにより、格子などの間には、生分解性樹脂が付着されない無付着部が複数形成され、少なくとも無付着部においては、透水性と通気性が確実に担保される。
【００３０】
一方では、生分解性樹脂が塗布、プリントされた部分で、袋体を所望する形状に保形することができるため、生地全体に生分解性樹脂を含浸させて保形するより、生分解性樹脂の使用量を少なくすることができ、製造コストや製品コストを低減することができる。
また、生分解性樹脂が塗布されるプリントパターンを、三角形を繋ぎ合わせたトラス状に形成することで、保形された形状の安定性を高めることもできる。
なお、生分解性樹脂が塗布、プリントされた部分においても、生分解性樹脂が塗布される厚みや量等を調整することで、透水性と通気性を確保できることはいうまでもない。
【００３１】
また、本発明の育苗容器は、前記袋体に、前記生分解性樹脂を前記無付着部が形成される所定のプリントパターンで印刷した構成とすることができる。
【００３２】
このような構成とすることにより、袋体が、無付着部が形成される所定のプリントパターンで印刷された生分解性樹脂で保形されるため、前述の無付着部を確保しつつ、袋体の保形力や外観からの意匠性を向上することができる。
【００３３】
生分解性樹脂が袋体にプリント印刷されるため、生分解性樹脂を自由な模様で塗布することができる。
なお、無付着部が形成される所定のプリントパターンとは、無付着部と付着部が形成されるように印刷されたパターンをいう。
【００３４】
例えば、前述したような、メッシュ状、網目状や格子状、又は、三角形を繋ぎ合わせたトラス状などに印刷することもできる。
特に、一枚の繊維生地を加圧成形して袋体を形成する場合は、上記のような幾何学的な模様のパターンで生分解性樹脂を繊維生地に印刷することにより、その後袋体を形成する際に、加圧成形における型合せ時に生じる生地のズレや、印刷された絵柄の向き等を考慮する必要がないため、製造時の作業性が向上するとともに、一枚の繊維生地から多くの袋体を作製することができ、量産コストや商品コストを抑えることができる。
【００３５】
また、袋体が保形されたときの形状に合わせたプリントパターンで生分解性樹脂を印刷することもできる。
例えば、袋体を竹かごに見立てて、竹かごの骨組みとなるような印刷をすることができる。
これにより、袋体が骨組みに融合した無理のない形状に保形され、形状の安定性が向上する。
このように、自由な模様のプリントパターンで印刷された生分解性樹脂で、袋体の口部や、袋体全体を保形することができるとともに、無付着部も確保でき、袋体が有する透水性と通気性を損なうこともない。
また、生分解性樹脂に、例えば、食品用の着色料などの地中で分解される色素を混合させることで、プリントパターンに彩りを加えることができ、意匠性を向上させることができる。
【００３６】
また、本発明の育苗容器は、前記支持体に、前記袋体の落下を防止する落下防止手段が設けられた構成とすることができる。
【００３７】
このような構成とすることにより、苗木や草花などの植物の成育に対して、袋体の生分解の進行が速く、袋体が支持体から落下するような場合でも、袋体の落下を防止することで、苗木や草花を保護することができる。
すなわち、本発明の袋体は、生分解性繊維で形成されているため、苗木や草花の成育に伴い、袋体も生分解される。
特に、支持体が、袋体を積載して支持する構成でなく、袋体の口部を保持して、吊下げ支持する構成の場合、口部を保持している部分に培土及び苗木や草花等の重みが集中するため、脆くなるとともに、袋体の生分解も助長し、袋体が裂け、苗木や草花が袋体ごと落下する場合がある。
【００３８】
そこで、本発明の落下防止手段を備えることで、このような袋体の落下を防止することができる。
具体的には、例えば、支持体の支柱の途中に、袋体の底面に向かって突出するストッパーを設けることもできる。
その結果、袋体が落下したときに、ストッパーが袋体や袋体の底面を支えることで、袋体ごと支持することができる。
そして、ストッパーによって、支持された袋体は、載置面から離間されているため、載置面への根付きを回避することができる。
さらに、袋体の培土が収納された部分が、生分解の進行が遅れていて、未だ収納状態を保つことができる場合には、そのままストッパーで支持された状態で、苗木や草花を育成することができる。
【００３９】
また、本発明の育苗容器は、前記支持体の底部が、所定の棒状治具で前記袋体を突上げて取出し可能に開口された構成とすることができる。
【００４０】
このような構成とすることにより、苗木や草花を袋体ごと、根のある下方から押し出して、取り出すことができる。
これにより、移植時等に、苗木や草花などの植物の葉や茎や枝を引張り、袋体を支持体から取り出す必要がないため、苗木や草花を痛めることがなくなる。
【００４１】
特に、移植時期には、袋体の上面は、葉などで覆われているため、袋体だけを摘み上げ、支持体から取り出すことが困難な場合がある。このような場合、苗木や草花の葉や茎や枝を持って、引張り上げることもできるが、植物を痛めることになり、商品価値を低下させるおそれもある。
【００４２】
そこで、支持体の底部を開口することで、所定の棒状治具で袋体を下から突上げて取出すことができる。
これにより、苗木や草花を痛めることがなく、苗木や草花を袋体ごと、根のある下方から押し上げて、取り出すことができる。
なお、所定の棒状治具を、例えば、発泡スチロール等の緩衝材で形成すれば、根を痛めることなく、取り出すことができる。
【００４３】
また、所定の棒状治具を載置面に設置しておき、支持体の底部の開口に合わせて、支持体ごと、所定の棒状治具に載せるだけで、棒状治具によって、袋体が根のある下方から押し上げられ、取り外すことができるため、移植作業時の労力を軽減することができる。
また、複数の袋体を装着可能な支持体で、苗木や草花を育成するような場合、袋体の位置及び数に対応させた棒を有する棒状治具を設けることで、上記と同様な作業を行うと、複数の袋体を、支持体から一度の作業で取り出すことができ、作業効率の向上を図ることができる。
【００４４】
また、本発明の育苗容器は、複数の前記袋体が、一体に連設され、各袋体の口部が同一面上で開口された構成とすることができる。
【００４５】
このような構成とすることにより、各袋体で、苗木や草花を育成することができるため、複数の苗木や草花を一度に育成することができる。
これにより、生産効率が向上し、量産性が増大する。
また、各袋体の口部が同一面上で開口されているため、各袋体を支持する支持体の高さを同じ高さにすることができる。その結果、支持体を、複数の支持体を一つにまとめた箱状体とすることができる。
これにより、園芸農家などの植物生産者が、従来から使用しているポリ容器などを多数収容可能な育苗用のフレーム籠等を支持体として利用することもでき、コストの低減が図られる。
また、袋体が一体に連設されているため、各袋体が散在せず、取り扱いが容易となる。
【００４６】
また、本発明の育苗容器は、前記連設された各袋体の口部に、各袋体が分離可能な脆弱部を設けた構成とすることができる。
【００４７】
このような構成とすることにより、連設された各袋体を、脆弱部から破断することで、各袋体を個々に分離して、取り外すことができる。
これにより、移植時において、各袋体を個別に取り外すことができるため、作業の効率化が図られる。
なお、脆弱部とは、例えば、各口部に沿って設けられた切取線や、薄い繊維で形成された口部など、連設された他の袋体と容易に分離できるようにした部分である。
【００４８】
また、本発明の育苗容器は、前記支持体の前記袋体の口部が当接する部分を、鋸刃状に形成した構成とすることができる。
【００４９】
このような構成とすることにより、例えば、支持体が、袋体の口部を保持して、袋体を吊下げ支持するような場合、支持体の袋体の口部が当接する部分が、鋸刃状に形成されることで、この鋸刃が当接する部分は、培土及び苗木や草花の重みが集中するため、脆くなるとともに、生分解も促進され、この鋸刃が当接する部分を裂け易くすることができる。
これにより、各袋体をこの当接する部分から分離し易くなり、移植時において、各袋体を取り外す際の作業の効率化が図られる。
【００５０】
また、本発明の育苗用の袋体は、培土が収納可能な袋状に形成された育苗用の袋体であって、透水性及び通気性を有する生分解性繊維からなり、所定の支持体によって、載置面から離間されて、支持されるとともに、前記支持体に着脱可能に取付けられる構成とすることができる。
【００５１】
このような構成とすることにより、所定の支持体によって、載置面から離間されて、支持される、培土が収納可能な袋状に形成され、透水性及び通気性を有する生分解性繊維からなる本発明の袋体を提供することができる。
これにより、支持体を、耐久性を有する合成樹脂等で形成することで、支持体は再利用されるとともに、袋体のみ供給することができ、商品コストを低減することができ、園芸農家等の生産者の生産コストを抑えることができる。
【００５２】
また、本発明の育苗用の袋体は、少なくとも前記袋体の口部を、前記支持体が当該袋体を吊下げて支持可能な形状に、生分解性樹脂で保形した構成とすることができる。
このような構成とすることにより、袋体の支持体への接触を、最小限に止めることができるとともに、袋体にフックなどの係止具を装着することなく、支持体に吊下げることができる袋体を提供できる。
【００５３】
また、本発明の育苗用の袋体は、生分解性樹脂で鉢状に保形した構成とすることができる。
このような構成とすることにより、未使用時には、積み重ねて収容することができ、省スペース化が図られるとともに、取り扱いも容易で、かつ、流通にも適した袋体を提供することができる。
【００５４】
また、本発明の育苗用の袋体は、少なくとも前記袋体の口部以外の部分を、生分解性樹脂が付着されない無付着部を設けて保形した構成とすることができる。
このような構成とすることにより、少なくとも無付着部においては、袋体の生地の特性である透水性と通気性を確保しつつ、袋体の口部や、袋体全体が保形された育苗用の袋体を提供することができる。
【００５５】
また、本発明の育苗用の袋体は、前記生分解性樹脂を、前記無付着部が形成される所定のプリントパターンで印刷した構成とすることができる。
このような構成とすることにより、透水性及び通気性を十分具備する無付着部を確保しつつ、保形力や外観からの意匠性が優れた育苗用の袋体を提供することができる。
【００５６】
また、本発明の育苗用トレイは、複数の袋体が、一体に連設され、各袋体の口部が同一面上で開口された育苗用トレイであって、前記袋体が、請求項１３〜１７の育苗用の袋体からなる構成とすることができる。
このような構成とすることにより、透水性及び通気性を有し、所定の支持体で、載置面から離間して支持される本発明の袋体を複数備えるとともに、各袋体が一体に連設された育苗用トレイを提供することができる。
これにより、支持体を、耐久性を有する合成樹脂等で再利用可能に構成することで、本発明の育苗用トレイのみ流通させることもでき、一度に大量の苗木や草花を育成する園芸農家などの植物生産者のニーズに的確に対応しつつ、生産コストも抑えることができる。
【００５７】
また、本発明の育苗用トレイは、前記各袋体の口部に、各袋体が分離可能な脆弱部を設けた構成とすることができる。
このような構成とすることにより、連設された各袋体を、脆弱部から破断することで、個々の袋体を容易に取り外すことができる育苗用トレイを提供できる。
【発明の効果】
【００５８】
本発明の育苗容器と、この育苗容器を構成する育苗用の袋体及び育苗用トレイによれば、苗木や草花などの植物に発生する「根巻き」や「徒長」及び「根腐れ」等が防止され、植物の成育環境を良好な状態に保つとともに、移植時の労力が軽減される。
【発明を実施するための最良の形態】
【００５９】
以下、本発明に係る育苗容器と、この育苗容器を構成する育苗用の袋体及び育苗用トレイの好ましい実施形態について、図１〜図６を参照して説明する。
［第一実施形態］
図１は、本発明の第一実施形態に係る育苗容器１の全体構成を示す斜視図である。
同図に示すように、本発明の育苗容器１は、袋体２と支持体３から構成されている。
袋体２は、苗木や草花などの植物を成育するための培土１００が、潅水等により流出しないよう収納可能な袋状に形成され、透水性及び通気性を有する生分解性繊維で構成されている。
【００６０】
具体的には、袋体２は、上方に向けて開口する口部２１と、培土１００が収納され、半球状に形成された袋部２２とから構成されている。
袋体２は、潅水時に培土１００が流出しない程度の粗さを有する不織布で形成されており、透水性及び通気性を備えている。
これにより、潅水による水はけが良好となるとともに、根に十分な酸素を供給できるようになっている。
また、袋体２は、生分解性繊維であるレーヨンで形成されている。
これにより、袋体２をそのまま地中に放置しても、バクテリアなどで分解され、消滅するため、土壌が汚染されないようになっている。
また、袋部２２は、半球状に形成されている。これにより、植物を口部２１からなる口径の中央に植えた場合、根に対する培土の厚みが均等になり、根の偏長が抑制され、根を均一に張らせることができる。
なお、本実施形態では、袋体２は、レーヨン不織布の生地で袋状に形成されたものであり、生分解性樹脂等で保形されていない。
【００６１】
次に、支持体３は、上記の袋体２を、地面等の当該支持体３が設置される場所の表面（以下、載置面という）から離間させて支持するものであり、本実施形態では、同図に示すように、フレーム構造で形成されている。
具体的には、支持体３は、載置面に接するリング状に形成された底部３１と、底部３１に比較して大きな外径のリング状に形成された上部３３と、底部３１と上部３３を連結する三本の支柱３２とから構成されている。
【００６２】
上部３３には、上方に向けて突出する爪部３４が三箇所設けられている。
この爪部３４は、生分解性繊維からなる袋体２の口部３４を突き通すことができ、袋体２の口部２１が爪部３４に係止されることで、袋体２を吊下げ支持できるようになっている。
さらに、吊下げられた袋体２の全長に対して、支持体３の高さは、長く形成されている。その結果、袋体２は、載置面から離間されて吊下げ支持される。
【００６３】
このように、支持体３が袋体２を吊下げ支持することで、袋体２の口部２１以外は、支持体３と非接触状態となり、少なくとも培土１００が収納された袋部２２は、支柱３２や載置面にも接触せず、外気に曝された状態となる。
これにより、袋体２が有する透水性及び通気性は、確実に確保でき、苗木や草花が成育する培土１００の成育環境を最適な状態に保つことができる。
【００６４】
すなわち、袋部２２は、いずれにも接触していないため、潅水時の剰余水は、載置面に流出してしまい、培土１００の良好な水はけが確保される。これにより、「根腐れ」や「根巻き」などの発生を回避することができる。
さらに、袋部２２の全面が、外気に曝されるため、根に十分、かつ、均等に酸素が供給され、枯れることもなくなり、また、「徒長」なども防止できる。
また、袋体２が有する通気性により、空気の流通による放熱や、培土中の水分蒸発が助長されることによる気化熱の放熱などの放熱効果もあり、収納された培土１００の温度の極度な上昇を抑制するだけでなく、載置面から離間されているため、培土１００の温度を載置面の表面温度より低く抑えることができる。
これにより、植物の夏越しに対しても、良好な温度環境を維持できる。
また、袋部２２は培土１００以外いずれにも接触していないため、袋部２２の分解が均等になり、袋体２が局所的に分解することによる培土１００の流出を防止することができる。
【００６５】
そして、袋体２の口部２１は、爪部３４に突き通されているだけなので、袋体２の口部２１を持ち上げることで、袋体２を支持体３から簡単に取り外すことができる。
また、底部３１には、下方から袋体２を押し出し可能な開口部３１ａが設けられている。
移植時期には、袋体２の口部２１が、葉などで覆われている場合もあるため、この開口部３１ａから棒状に形成された冶具等を挿入して、袋体２の袋部２２を押し出したり、手で直接押し上げて、袋体２を、支持体３から容易に取り外すこともできる。
【００６６】
そして、このように取り外された袋体２は、生分解性のレーヨンからなるため、移植の際には、袋体２ごとそのまま他の鉢や土壌に移植しても、袋体２は地中で分解され、消滅する。
すなわち、移植に際して、従来のようにポリ容器等から苗木や草花を取出す必要がないため、移植作業の省力化が図れる。
また、移植時に袋体２に根が絡んでいたとしても、袋体２から苗木や草花を取出す必要がなく、袋体２ごとそのまま移植できるため、移植時に根や茎葉を痛めることがない。
これにより、苗木や草花を良好な状態のまま、移植することができる。
また、袋体２は、生分解されるため、土壌を汚染することもないため、環境的にも優れている。
また、このように生分解され、かつ、載置面から離間された袋体２内で育成する植物は、袋体２が生分解されるため、長期間、観賞する植物を対象とするよりも、移植を前提とした植物に適している。
そして、このような植物に対して、本発明の育苗容器１は、播種から苗木までの育成過程において、最適な成育環境を提供できる。
【００６７】
また、前述したように、底部３１に対して上部３３は、外形が大きく形成されることで、これらを連結する三本の支柱３２の内側面で形成される空間は、下方に向かうに従い、狭くなっている。
その結果、この空間が、袋体２の落下を防止する本発明の落下防止手段として機能するようになっている。
具体的には、苗木や草花などの植物の成育に伴い、袋体２の生分解も進行し、特に、収納する培土１００や苗木等の重みが集中する口部２１が損壊し、袋体２が落下する場合がある。
そこで、本実施形態の支持体３は、底部３１までの途中の空間であって、三本の支柱３２の内側面で形成される空間が、袋体２の口部２１より小さく形成されている。これにより、口部２１が損壊し、袋体２が落下した場合でも、底部３１までの途中の空間で、袋体２が三本の支柱３２の内側面で挟持され、袋体２を載置面から離間した状態で、支持することができるようになっている。
これにより、苗木や草花の損壊や、地面への根付きが防止できるようになっている。
なお、袋体２の落下を確実に阻止できるように、底部３１までの途中であって、各支柱３２の内側面に、中央に向かって突出するリブ等を設けることもできる。
【００６８】
以上のように本実施形態の育苗容器１によれば、透水性及び通気性を有するのみならず、載置面から離間された袋体２で、苗木や草花を育成することができるため、苗木や草花などの植物の成育環境を良好な状態に保つことができ、商品価値の高い植物を育成することができるとともに、移植時の労力も軽減できる。
【００６９】
［第二実施形態］
次に、本発明の第二実施形態に係る育苗容器１の組立斜視図を図２に示す。
同図に示す本実施形態に係る育苗容器１は、上述した第一実施形態の育苗容器１の変形実施形態であり、支持体３が、袋体２を積載して、支持するように構成されている。その他の構成部分は、第一実施形態と同様となっており、同様の構成部分については、図中で第一実施形態と同一符号を付し、詳細な説明は省略する。
【００７０】
具体的には、支持体３の支柱３２を、リング状に形成された底部３１及び上部３３の中心に向かって突出するリブ状に形成するとともに、支柱３２の途中には、積載される袋体２の外形に沿って形成された積載部３２ａが三つ設けてある。
各積載部３２ａに、袋体２の袋部２２が当接されるとともに、袋体２の口部２１を、上部３３が囲むことで、培土１００が収納された袋体２が、揺動不能に支持される。
さらに、積載部３２ａは、支柱３２の途中に設けられているため、袋体２は、載置面から離間されて、支持されるようになっている。
そして、支持体３は、全体的には第一実施形態と同様、袋体２が外気と十分に通気可能となるようフレーム構造で形成されている。
これらにより、袋体２が有する透水性及び通気性が担保される。
【００７１】
なお、袋体２の袋部２２が積載部３２ａに当接しているが、積載部３２ａはリブ状に形成され、袋部２２との接触範囲（例えば、約２ｍｍ）が最小限に抑えてあるため、袋体２が有する透水性及び通気性が損なわれることはない。
また、底部３１には、袋体２の袋部２２を下方から押し上げ可能な開口部３１ａが設けられている。
【００７２】
このように支持体３が袋体２を積載して、支持することで、袋体２が有する透水性及び通気性を確保するという第一実施形態の作用効果に加え、特に、積載部３２ａがストッパー（本発明の落下防止手段）として機能し、袋体２の落下を防止することができる。
これにより、袋体２の局所的な生分解により、袋体２が破壊しても、袋体２が支持体３から落下することがないため、苗木や草花の落下による損壊や、地面への根付きを回避することができる。
【００７３】
なお、苗木や草花の成育に伴い、袋体２も収納された培土１００等により生分解するが、同時に根も成長し、培土１００は根と絡み一体となり、袋体２と根と培土１００からなる土塊が形成される。
従って、袋体２が全体的に生分解しても、袋体２と根と培土１００からなる土塊の状態で、支持体３により支持されるため、苗木や草花が落下することはないが、潅水により培土が流出するおそれがある。
このような場合には、移植時期まで袋体２の機能を確保するように、袋体２に使用する生分解性繊維の材質や厚み、目の粗さ等を調整できることはいうまでもない。
【００７４】
［第三実施形態］
次に、本発明の第三実施形態に係る育苗容器１の組立斜視図を図３に示す。
同図に示す本実施形態に係る育苗容器１は、前述した第一実施形態の育苗容器１の変形実施形態であり、袋体２が生分解性樹脂２２ａで鉢形に保形されているとともに、第一実施形態の支持体３にストッパー３２ｂを備える構成となっている。その他の構成部分は、第一実施形態と同様となっており、同様の構成部分については、図中で第一実施形態と同一符号を付し、詳細な説明は省略する。
【００７５】
具体的には、本実施形態の袋体２は、生分解性樹脂２２ａで半球状の鉢形に保形されている。
詳細には、口部２１周縁には、外側水平方向に向かって延出するフランジ状のフランジ部２１ａが形成されるとともに、袋部２２は半球形状となるように、生分解性樹脂２２ａで保形されている。
フランジ部２１ａは、その裏面が、支持体３の当接面３３ａに当接されるように形成されている。
これにより、袋体２を支持体３の上部３３の開口から挿入し、フランジ部２１ａの裏面を当接面３３ａに当接させることで、支持体３が、袋体２を吊下げ支持できるようになっている。
このように袋体２の口部２１自体を、支持体３が当該袋体２を吊下げて支持可能な形状に生分解性樹脂２２ａで保形することで、余分な係止具等を用いることなく、支持体３が袋体２を吊下げ支持することができる。
なお、支持体３が当該袋体２を吊下げて支持可能な口部２１の形状は、フランジ形状に限らず、鉤状など、支持体３の上部３３に袋体２の口部２１が係止される形状であれば足りる。
【００７６】
次に、袋体２の袋部２２は、生分解性樹脂２２ａが袋体２の表面に竹かごの骨組み模様として表れるように印刷されて保形されている。
これにより、生分解性樹脂２２ａが、袋部２２の形状に沿った骨格となり、半球状に保形された袋体２の安定性が増大し、定形性を保持することができる。
なお、袋部２２のみならず、フランジ部２１ａにおいても、生分解性樹脂２２ａの印刷の厚み、量や巾を変化させることで、保形力を調整できることはいうまでもない。
【００７７】
さらに、生分解性樹脂２２ａが印刷された間隙には、生分解性樹脂２２ａが付着されていない無付着部２２ｂが多数形成されている。
この無付着部２２ｂは、レーヨン不織布の生地そのままであるので、袋部２２が有する透水性及び通気性を、確実に確保できるようになっている。
なお、生分解性樹脂２２ａが印刷された部分においても、印刷の厚みや量等を調整することで、透水性と通気性を確保できることはいうまでもない。
【００７８】
そして、このように構成される袋体２は、本実施形態では一枚のレーヨン不織布に生分解性樹脂２２ａを印刷後、加圧成形することで、半球状の鉢形に保形されている。
具体的には、保形されたときに竹かごの骨組み模様となるよう、レーヨン不織布に生分解性樹脂２２ａを放射状に広がる蜂の巣模様にプリント印刷するとともに、蜂の巣模様の中心が半球状に形成された金型の中心に位置するようにセットし、加圧成形することで、袋体２の形成と同時に、半球状の鉢形に保形されるようになっている。
このように本実施形態の袋体２は、袋体２全体が、生分解性樹脂２２ａで半球状の鉢形に保形されているため、袋体２の取り扱いが容易となり、例えば、未使用時に積み重ねて収容することもでき、流通性も向上させることができる。
【００７９】
なお、本実施形態では、生分解性樹脂２２ａとして、天然系糊剤であるアルギン酸ソーダを用いている。これにより、レーヨン不織布と同じく生分解され、消滅するため、土壌を汚染することもない。
また、本実施形態では、一枚のレーヨン不織布を、生分解性樹脂２２ａで鉢形に保形したが、複数のレーヨン不織布を、天然系糊剤等で接着したり、溶着し、重ねて保形することもできる。
これにより、袋体２の強度や生分解速度を調整することもできる。
また、部分的に重ねて保形することで、強度を増大させたり、袋体２の美観を高めたりすることができる。
例えば、口部２１やフランジ部２１ａにレーヨン不織布を複数枚重ねることで、吊下げに耐える強度を増加させるとともに、加圧成形の際に口部２１やフランジ部２１ａに生じる布ジワを覆うことで、袋体２の美観を高めたりすることができる。
【００８０】
次に、本実施形態の支持体３には、第一実施形態の落下防止手段に加え、確実に袋体２の落下を防止する環状のストッパー３２ｂが設けられている。
これにより、袋体２の生分解が進行し、特に、収納する培土１００や苗木等の重みが集中するフランジ部２１ａが損壊し、袋体２が落下した場合でも、ストッパー３２ｂの上面が、袋体２の袋部２２に当接し、そのまま袋体２を積載するため、袋体２を載置面から離間した状態で、支持することができるようになっている。
これにより、苗木や草花の損壊や、地面への根付きが防止される。
【００８１】
［第四実施形態］
次に、本発明の第四実施形態に係る育苗容器１の袋体２の斜視図を図４に示す。
同図に示す本実施形態に係る袋体２は、上述した第三実施形態の袋体２の変形実施形態であり、袋体２がトラス状にプリント印刷された生分解性樹脂２２ａで鉢形に保形されている。その他の構成部分は、第三実施形態と同様となっている。
【００８２】
具体的には、第三実施形態と同様、一枚のレーヨン不織布に生分解性樹脂２２ａ（例えば、アルギン酸ソーダ）を均一形状の三角形を繋ぎ合わせたトラス状にプリント印刷するとともに、半球状に形成された金型にセットし、加圧成形することで、袋体２の形成と同時に、半球状の鉢形に保形されるようになっている。
このように、袋体２が、生分解性樹脂２２ａがトラス状にプリント印刷され保形されるため、保形された鉢形がトラス構造を有することになり、半球状に保形された袋体２の安定性が増大し、定形性を保持することができる。
【００８３】
なお、この加圧成形の際には、第三実施形態と異なり、印刷された模様に対して、レーヨン不織布をセットする位置や方向が、限定されないようになっている。
これにより、加圧成形の際に生じる不織布のズレを考慮する必要がなくなり、作業効率が向上するとともに、一枚のレーヨン不織布から多くの袋体２が作製でき、商品コストの低減が図られる。
【００８４】
また、生分解性樹脂２２ａがプリント印刷された間隙には、第三実施形態と同様、生分解性樹脂２２ａが付着されていない無付着部２２ｂが多数形成されている。
無付着部２２ｂは、レーヨン不織布の生地そのままであるため、袋部２２が有する透水性及び通気性を、確実に確保できるようになっている。
また、レーヨン不織布の生地全体に生分解性樹脂２２ａを含浸させて保形するより、生分解性樹脂２２ａの使用量を少なくすることができ、製造コストや製品コストを低減することができる。
【００８５】
なお、第三実施形態及び本実施形態において、生分解性樹脂２２ａで保形された形状の安定性を向上すべく、生分解性樹脂２２ａのプリントパターンを、蜘蛛の巣模様や、トラス状としたが、生分解性樹脂２２ａのプリントパターンは、無付着部２２ｂが形成されれば、これらに限定されるものではない。
例えば、水玉模様や、格子状や波目模様、六角形の網目模様などの幾何学的な模様や、文字、図形、絵などを印刷することもできる。
さらに、生分解性樹脂２２ａに、例えば、食品用の着色料などの地中で分解される色素を混合させることで、プリントパターンに彩りを加えることができ、意匠性を向上させることができるだけでなく、成育する植物毎に、異なる色彩の袋体２を設けることができ、育成管理が容易となり、作業効率の向上を図ることができる。
【００８６】
［第五実施形態］
次に、本発明の第五実施形態に係る育苗トレイ１０と支持体３からなる育苗容器１の組立斜視図を図５に示し、一の袋体２が分離された状態を図６に示す。
各図に示す本実施形態に係る育苗容器１は、上述した第三及び第四実施形態の変形実施形態であり、複数の袋体２を一体に連設した育苗トレイ１０と、各袋体２を載置面から離間させて支持する支持体３で構成されている。
【００８７】
具体的には、育苗トレイ１０は、図５に示すように、各袋体２の口部２１が同一面上で開口され、六個の袋体２が一体に連設されたトレイ状に形成されている。
本実施形態の育苗トレイ１０は、第三及び第四施形態と同様、生分解性樹脂２２ａ（例えば、アルギン酸ソーダ）が格子状や網目状のプリントパターンで印刷された一枚のレーヨン不織布が、加圧成形され、トレイ状に保形されている。
勿論、フランジ部２１ａも生分解性樹脂２２ａで強固に保形されている。
なお、本実施形態の各袋体２は、口部２１が矩形からなる角箱状に形成されているが、第三及び第四施形態と同様、半球状とすることもできる。
【００８８】
このように、複数の袋体２が一体に連設されたトレイとすることで、各袋体２で、苗木や草花を育成することができるため、複数の苗木や草花を一度に育成することができる。
これにより、園芸農家等の生産者の生産効率が向上し、量産性が増大する。
また、各袋体２が一体に連設されているため、各袋体２が散在せず、取り扱いが容易となる。
【００８９】
さらに、育苗トレイ１０は、生分解性樹脂２２ａでトレイ状に一体に保形されているため、未使用時に積み重ねて収容することができるとともに、流通性も向上させることができる。
そのうえ、全体的な剛性が増大するとともに、隣接する袋体２同士が、各々の袋体２に収納された培土や植物の重みにより引張られ、各袋体２の落下を阻むように作用させることができる。
【００９０】
また、本実施形態の育苗トレイ１０には、同図に示すように、各袋体２の口部２１に沿った切取線からなる、本発明の脆弱部２１ｂが設けられている。
脆弱部２１ｂに沿って、切り取ることで、個々の袋体２に簡単に分離できるようになっている。
【００９１】
なお、本実施形態では、脆弱部２１ｂを切取線としたが、例えば、切取線に相当する部分をレーヨン不織布一枚生地とし、他のフランジ部２１ａには複数枚のレーヨン不織布を接着や溶着により重ねて、脆弱部を形成することもできる。
すなわち、レーヨン不織布一枚生地の部分が脆弱部となるとともに、他の部分は、吊下げに耐える強度を高めつつ、加圧成形の際に口部２１やフランジ部２１ａに生じる布ジワを覆うことで、育苗トレイ１０の美観を高めることもできる。
【００９２】
このように、育苗トレイ１０に脆弱部２１ｂを設けることで、この脆弱部２１ｂを境界にして、個々の袋体２に分離できる。特に、苗木や草花などの植物の成育に伴い、育苗トレイ１０の生分解も進行するが、脆弱部２１ｂは、比較的速く脆くなるため、移植時期には、この脆弱部２１ｂを境として容易に分離でき、移植作業時に個々の袋体２に分離する作業が軽減される。
【００９３】
また、育苗トレイ１０は、各袋体２の口部２１が同一面上で開口されているため、各袋体２を支持する支持体３の高さを同じ高さにすることができる。
すなわち、支持体３を、前述の各実施形態の支持体３を一つにまとめたような、箱状体に形成することもできる。
【００９４】
具体的には、本実施形態の支持体３は、図５に示すように、育苗トレイ１０に形成された各袋体２を、各々載置面から一定の間隔をもって、離間させるように、育苗トレイ１０ごと吊下げ支持する箱状のフレーム構造で形成されている。
育苗トレイ１０は、フランジ部２１ａの裏面が支持体３の当接面３３ａに当接されて、吊下げ支持されている。
すなわち、育苗トレイ１０は、支持体３の当接面３３ａ以外は、いずれにも接触していないとともに、支持体３がフレーム構造からなり、外気との通気が妨げられることもないため、各袋体２が有する透水性及び通気性は、確実に確保され、苗木や草花の成育環境を最適な状態に保つことができるようになっている。
また、本実施形態の支持体３は、箱状の簡易なフレーム構造からなるため、園芸農家などの植物生産者が従来から使用している、ポリ容器などが多数収容可能な育苗用の汎用フレーム籠等を支持体３として利用することもできる。
【００９５】
さらに、本実施形態の支持体３には、フランジ部２１ａの裏面が当接する当接面３３ａに、前述の脆弱部２１ｂに対応して、鋸刃状に形成された鋸刃面３３ｂが形成されている。
これにより、脆弱部２１ｂに鋸刃面３３ｂの鋸刃が突き刺さり、脆弱部２１ｂの生分解の進行を速めることができるようになっている。
その結果、移植時期には、この脆弱部２１ｂを境界として容易に分離でき、移植作業時に個々の袋体２に分離する作業が軽減される。
【００９６】
そして、移植時に個々の袋体２に分離する作業は、例えば、図６に示すような、発泡スチロールなどの緩衝材からなる棒状治具２００を、支持体３の開口部３１ａから挿入し、各袋体２の袋部２２を押し上げることで、脆弱部２１ｂを境界として容易に分離できるようになっている。
その結果、特に、移植時期には、口部２１やフランジ部２１ａは、葉や花に覆われているため、葉や花を持ち上げることなく、個々の袋体２を取り出すことができる。
これにより、植物を痛めることなく、苗木や草花を良好な状態で、移植することができる。
【００９７】
また、このような棒状治具を利用して、例えば、棒状治具２００を各袋体２の位置及び数に応じて複数設け、この複数の棒状治具２００を載置面に設置し、育苗容器１全体を持ち上げて、設置した各棒状治具２００を各袋体２の袋部２２に対応させてゆっくりと降下させることで、育苗トレイ１０を支持体３から取り出すこともできる。
そして、脆弱部２１ｂは生分解が進行し、脆くなっているため、あまり力を加えず、僅かな力で、脆弱部２１ｂを境界として切り裂き、個々の袋体２に分離することもできる。
【００９８】
さらに、個々に分離された袋体２は、生分解性繊維であるレーヨン不織布からなるとともに、生分解性樹脂（アルギン酸ソーダ）で保形されているため、地中に放置しても、生分解され、消滅する。
これにより、袋体２ごとそのまま他の鉢や土壌に移植することができ、従来のようにポリ容器等から苗木や草花を取出す必要がないため、移植作業の省力化が図れるとともに、移植時に根や茎葉を痛めることなく、苗木や草花を良好な状態で、移植することができる。
【００９９】
このように、本実施形態の育苗トレイ１０を備える育苗容器１によれば、他の実施形態と同様、透水性及び通気性を有するのみならず、載置面から離間された複数の袋体２で、苗木や草花を育成することができるため、苗木や草花の成育環境を最適な状態に保つことができ、商品価値の高い植物を育成することができる。
また、このように商品価値の高い植物を、一度に複数育成できるため、生産性が向上するのみならず、移植時の労力も軽減できる。
【０１００】
以上、本発明の育苗容器とこの育苗容器を構成する育苗用の袋体及び育苗用トレイについて、好ましい実施形態を示して説明したが、本発明に係る育苗容器とこの育苗容器を構成する育苗用の袋体及び育苗用トレイは、上述した実施形態にのみ限定されるものではなく、本発明の範囲で種々の変更実施が可能であることはいうまでもない。
【０１０１】
例えば、本実施形態では、袋体を、不織布で形成したが、織物や編み物で形成してもよく、透水性及び通気性を有する繊維の袋体であれば、特にその形態は、限定されない。
また、生分解性繊維に関しても、レーヨンに限定されるものではなく、木綿や麻などの天然繊維、レーヨン等の再生繊維、生分解性合成繊維、及びこれらを組合せた繊維などを用いることができる。
また、生分解性樹脂に関しても、アルギン酸ソーダに限定されるものではなく、澱粉、カルボキシメチルセルロース、カゼイン、エチレン酢酸ビニル変性澱粉重合物等を用いることができる。
【産業上の利用可能性】
【０１０２】
本発明は、苗木や草花などの植物の育成に使用される育苗容器であって、特に、播種から移植までに用いられる育苗容器に広く利用することができる。
【図面の簡単な説明】
【０１０３】
【図１】本発明の第一実施形態に係る育苗容器の全体構成を示す斜視図である。
【図２】本発明の第二実施形態に係る育苗容器の組立斜視図である。
【図３】本発明の第三実施形態に係る育苗容器の組立斜視図である。
【図４】本発明の第四実施形態に係る育苗容器を構成する袋体の斜視図である。
【図５】本発明の第五実施形態に係る育苗容器の育苗トレイと支持体の組立斜視図である。
【図６】本発明の第五実施形態に係る育苗容器の一の袋体が分離された状態を示す図である。
【符号の説明】
【０１０４】
１  育苗容器
２  袋体
２１  口部
２２  袋部
３  支持体
３１  底部
３２  支柱
３３  上部
１００  培土
２００  棒状治具
【図１】
0005108562.tif 000002
【図２】
0005108562.tif 000003
【図３】
0005108562.tif 000004
【図４】
0005108562.tif 000005
【図５】
0005108562.tif 000006
【図６】
0005108562.tif 000007